(57)【要約】 【課題】長時間装着しても息苦しくなく、簡便に装着できて、他人への呼気の飛散を防止することができるようにしたマスクを提供する。【解決手段】他人への呼気の飛散を防止するためのマスク１０であって、顎当て部３０および口前展開部４０とより成るマスク本体２０と、装着紐５０とを備えて成り、マスク本体２０は、それ自体の形態を保持できる程度の形状安定性を有し、顎当て部３０は、人の顎に下方から当てがってマスク本体２０が安定する形状に形成され、口前展開部４０は、顎当て部３０から鼻前に延び、上部４１が顔面から離間し、口前から鼻前にかけて展開して装着される形態に形成され、装着紐５０は、顎当て部３０付近を耳から引き、顎当て部３０が顎に当たって安定する位置関係になるよう配設されている。【選択図】図１
2005185381.tif 000002
【特許請求の範囲】
【請求項１】
他人への呼気の飛散を防止するためのマスクであって、
顎当て部および口前展開部とより成るマスク本体と、装着紐とを備えて成り、
前記マスク本体は、それ自体の形態を保持できる程度の形状安定性を有し、
前記顎当て部は、人の顎に下方から当てがって前記マスク本体が安定する形状に形成され、
前記口前展開部は、前記顎当て部から鼻前に延び、上部が顔面から離間し、口前から鼻前にかけて展開して装着される形態に形成され、
前記装着紐は、前記顎当て部付近を耳から引き、前記顎当て部が顎に当たって安定する位置関係になるよう配設されていることを特徴とするマスク。
【請求項２】
前記マスク本体の内面は布状であることを特徴とする請求項１に記載のマスク。
【請求項３】
前記マスク本体の口前部位に呼気受止片を装着したことを特徴とする請求項１に記載のマスク。
【請求項４】
前記装着紐の引き方向を安定させるよう使用者に合わせて選択できる複数の案内溝を前記マスク本体の側部に設けたことを特徴とする請求項１に記載のマスク。
【請求項５】
前記装着紐は耳に掛けて頭の後ろに回すよう配設され、耳に掛ける部位に耳当てパッドを設けたことを特徴とする請求項１に記載のマスク。
【発明の詳細な説明】
【技術分野】
【０００１】
本発明は、他人への呼気の飛散を防止するためのマスクに関する。
【背景技術】
【０００２】
従来の技術としては、例えば特許文献１に示すようなものがある。  
すなわち、特許文献１の特開２００３−２１０６００号公報には、顔面に密着して使用者の鼻、口等の呼吸器全体を覆い、マスク本体とその内部に装着する呼吸体とにより構成されるものが開示されている。
【０００３】
【特許文献１】特開２００３−２１０６００号公報
【発明の開示】
【発明が解決しようとする課題】
【０００４】
しかしながら、このような従来の技術では、常に顔面に密着してマスクが装着されるので、会話がしにくく、長時間装着すると息苦しかったり、簡便に使用できないという問題点があった。
【０００５】
本発明は、このような従来の技術が有する問題点に着目してなされたもので、長時間装着しても息苦しくなく、簡便に装着できて、他人への呼気の飛散を防止することができるようにしたマスクを提供することを目的としている。
【課題を解決するための手段】
【０００６】
かかる目的を達成するための本発明の要旨とするところは、次の各項の発明に存する。
［１］  他人への呼気の飛散を防止するためのマスク（１０）であって、
顎当て部（３０）および口前展開部（４０）とより成るマスク本体（２０）と、装着紐（５０）とを備えて成り、
前記マスク本体（２０）は、それ自体の形態を保持できる程度の形状安定性を有し、
前記顎当て部（３０）は、人の顎に下方から当てがって前記マスク本体（２０）が安定する形状に形成され、
前記口前展開部（４０）は、前記顎当て部（３０）から鼻前に延び、上部（４１）が顔面から離間し、口前から鼻前にかけて展開して装着される形態に形成され、
前記装着紐（５０）は、前記顎当て部（３０）付近を耳から引き、前記顎当て部（３０）が顎に当たって安定する位置関係になるよう配設されていることを特徴とするマスク（１０）。
【０００７】
［２］  前記マスク本体（２０）の内面は布状であることを特徴とする項１に記載のマスク（１０）。
【０００８】
［３］  前記マスク本体（２０）の口前部位に呼気受止片（２５）を装着したことを特徴とする項１に記載のマスク（１０）。
【０００９】
［４］  前記装着紐（５０）の引き方向を安定させるよう使用者に合わせて選択できる複数の案内溝（２７ａ〜ｃ）を前記マスク本体（２０）の側部（２２）に設けたことを特徴とする項１に記載のマスク（１０）。
【００１０】
［５］  前記装着紐（５０）は耳に掛けて頭の後ろに回すよう配設され、耳に掛ける部位に耳当てパッド（５１）を設けたことを特徴とする項１に記載のマスク（１０）。
【００１１】
前記本発明は次のように作用する。  
本発明に係るマスク（１０）は、長時間の装着が可能で、使用者の呼気が他人へ飛散するのを防止する。装着にあたっては、顎当て部（３０）を使用者の顎に下方から当てがうと、形状安定性のあるマスク本体（２０）は、それ自体の形態を保持し、位置関係が安定する。
【００１２】
マスク本体（２０）の側部（２２）の複数の案内溝（２７ａ〜ｃ）を使用者に合わせて選択すると、装着紐（５０）の引き方向が安定して具合がよい。装着紐（５０）は耳に掛けて頭の後ろに回すようにすると、安定性がよく、耳に掛ける部位に耳当てパッド（５１）を設けてあると、耳が痛くなったりするのを防止することができる。
【００１３】
マスク（１０）を装着すると、顎当て部（３０）から口前展開部（４０）が口から鼻の前にかけて展開して延び、上部（４１）は顔面から離間した状態になる。装着紐（５０）は、顎当て部（３０）付近を耳から引き、顎当て部（３０）が顎に当たってマスク本体（２０）が安定する。上部（４１）が顔面から離間しているので、口や鼻は開放的で、会話がしやすく、息苦しくなることもない。
【００１４】
呼吸をしたり、会話をしたとき、布状のマスク本体（２０）の内面に呼気があたるので、そこで、呼気中の水分や異物が受止められ、呼気の飛散が防止される。マスク本体（２０）の口前部位に呼気受止片（２５）を装着してあると、さらに効果的に呼気の飛散が防止される。
【発明の効果】
【００１５】
本発明に係るマスクによれば、装着したとき上部が顔面から離間した状態になるので、口や鼻が開放的になり、長時間装着しても息苦しいことがなく、会話がしやすく、簡便に使用することができるので、常に装着して使用者の呼気が飛散するのを効果的に防止することができる。
【発明を実施するための最良の形態】
【００１６】
以下、図面に基づき本発明の好適な一実施の形態を説明する。  
各図は本発明の一実施の形態を示している。  
各図に示すように、他人への呼気の飛散を防止するためのマスク１０は、顎当て部３０および口前展開部４０とより成るマスク本体２０と、装着紐５０とを備えて成る。
【００１７】
マスク本体２０は、それ自体の形態を保持できる程度の形状安定性を有しており、不織布や、軽量プラスチック、発泡プラスチックや紙等により成形される。顎当て部３０は、人の顎に下方から当てがってマスク本体２０が安定する形状に形成されるものであり、ちょうど顎が収まる程度の凹部３１を有している。
【００１８】
口前展開部４０は、顎当て部３０との間のくびれ部２１から鼻前に延び、上部４１が顔面から離間し、口前から鼻前にかけて展開して装着される形態に形成されている。
【００１９】
マスク本体２０の内面は使用者の呼気を受止めるよう布状で、素材としての布状でもよく、別の布を貼り付けたものでもよい。マスク本体２０の内面を布状にすることなく、あるいは布状であるのに加えて、マスク本体２０の口前部位に呼気受止片２５を装着することができる。呼気受止片２５は、ファスナ２６で脱着可能にすると新鮮なものに交換できるので具合がよい。
【００２０】
装着紐５０は、端部が顎当て部３０に穿設された穴３２に通して連結され、顎当て部３０付近を耳から引き、顎当て部３０が顎に当たって安定する位置関係になるよう配設されている。装着紐５０の端部は、ホチキス止めしたり接着したりしてもよい。
【００２１】
マスク本体２０の側部２２には、装着紐５０の引き方向を安定させるよう使用者に合わせて選択できる複数の案内溝２７ａ〜ｃが設けられている。また、装着紐５０は耳に掛けて頭の後ろに回すよう配設され、耳に掛ける部位に耳当てパッド５１が設けられている。
【００２２】
次に作用を説明する。  
マスク１０は、長時間の装着が可能で、使用者の呼気が他人へ飛散するのを防止する。装着にあたっては、顎当て部３０を使用者の顎に下方から当てがうと、顎当て部３０の凹部３１に顎が納まり、形状安定性のあるマスク本体２０は、それ自体の形態を保持し、位置関係が安定する。
【００２３】
マスク本体２０の側部２２の複数の案内溝２７ａ〜ｃのいずれかを選択して使用者に合わせると、装着紐５０の引き方向が安定する。装着紐５０は耳に掛けて頭の後ろに回すようにする。耳に掛ける部位の耳当てパッド５１が緩衝し、耳が痛くなったりするのを防止することができ、マスク１０は、安定性よく装着することができる。装着紐５０は耳のみに掛けるようにしてもよい。
【００２４】
マスク１０を装着すると、顎当て部３０から口前展開部４０が口から鼻の前にかけて展開して延び、上部４１が顔面から離間した状態になる。装着紐５０は、顎当て部３０付近を耳から引き、顎当て部３０が顎に当たり、凹部３１に顎が納まってマスク本体２０が安定する。上部４１が顔面から離間しているので、口や鼻は開放的で、会話がしやすく、息苦しくなることもない。
【００２５】
呼吸をしたり、会話をしたとき、布状のマスク本体２０の内面に呼気があたると、呼気中の水分や異物が受止められ、呼気の飛散が防止される。マスク本体２０の口前部位に呼気受止片２５を装着してあると、さらに効果的に呼気の飛散が防止される。呼気受止片２５は、ファスナ２６により脱着可能であるので、汚れたり湿ったりしたとき、使用者の好みにより交換することができる。
【図面の簡単な説明】
【００２６】
【図１】本発明の一実施の形態に係るマスクの装着状態を示す側面図である。
【図２】本発明の一実施の形態に係るマスクの装着状態を示す斜視図である。
【図３】本発明の一実施の形態に係るマスクを示す斜視図である。
【符号の説明】
【００２７】
１０…マスク
２０…マスク本体
２１…くびれ部
２２…側部
２５…呼気受止片
２６…ファスナ
２７…案内溝
３０…顎当て部
３１…凹部
３２…穴
４０…口前展開部
４１…上部
５０…装着紐
５１…耳当てパッド
【図１】
2005185381.tif 000003
【図２】
2005185381.tif 000004
【図３】
2005185381.tif 000005